(57)【要約】【課題】断熱性を優先させて飲み口を比較的小さくした二重壁容器に好適な構造を備え、内容量を比較的大きく維持したまま、製造工程における利便性も高い二重壁容器を提供する。【解決手段】二重壁容器１０の内容器２０に、上端が外側に向かって湾曲するとともに下方に折り返す湾曲折返部２１を設ける。外容器３０の上端開口周縁部３１が、内容器の湾曲折返部２１の半径方向外側に接触し、当該接触箇所において、内容器と外容器を溶接により連結・固定する。当該構成を備えた二重壁容器は、製造工程において、外容器の底部を開けた状態で、内容器を下方側から挿通して両者を連結するのに都合が良い。外容器に対して内容器を下方側から挿通するが故に、内容器の最大胴径部を、外容器の上部開口径よりも、大きくとることができる。その結果、飲み口の開口が比較的小さいスリムな容器でありながら、比較的大きな内容量を確保することが可能となる。【選択図】図１
2019089570.tif 000002
【特許請求の範囲】
【請求項１】
内容器と外容器との間に空間を備えてなる二重壁容器であって、
内容器は、上端が外側に向かって湾曲するとともに下方に折り返す湾曲折返部を備えており、
外容器の上端開口周縁部が、内容器の湾曲折返部の半径方向外側に接触し、当該接触箇所において、内容器と外容器が溶接により連結されている、二重壁容器。
【請求項２】
上記外容器の上端開口周縁部と、当該上端開口周縁部が接触する湾曲折返部の外周壁部と、の少なくとも一方が、容器上方に向かうにつれて縮径している、請求項１記載の二重壁容器。
【請求項３】
上記内容器の最大胴径は、外容器の上端開口周縁部の開口径よりも大きい、請求項１または２記載の二重壁容器。
【請求項４】
上記外容器は、少なくとも、最大胴径部を含む外周壁から上端開口周縁部に至る部分が、接合部の無い一体物で構成されている、請求項３記載の二重容器。
【請求項５】
上記外容器に、二重壁容器の蓋部材に形成されたネジ係合部と係合するネジ係合部が形成されている、請求項１〜４記載のいずれか１つに記載の二重壁容器。
【発明の詳細な説明】
【技術分野】
【０００１】
本発明は、内容器と外容器とを連結して構成され、両者の間に空間が設けられる二重壁容器に関する。
【背景技術】
【０００２】
内容器と外容器とを連結して構成される二重壁容器が、従来から種々知られている（例えば、特許文献１〜４）。二重壁の間の空間は、好ましくは真空（に近い状態）とされていて、これにより、容器の断熱性が高められている。
【０００３】
特許文献１、２、３に開示されている二重壁容器では、内容器と外容器を連結固定するための溶接箇所やネジ山は、内容器の側（すなわち、二重壁の内周面）に存在している。一方、特許文献４の二重壁容器では、内周面にネジ部が存在するとスープ等が付着して不衛生になるので、それを避けるため、ネジ山や溶接箇所は、外容器側に形成されている。
【０００４】
二重壁容器は、本来、二重壁の間に空間を設け、それにより断熱性を高めるよう考案されたものであり、断熱性という観点からは、容器の上部開口（飲み口用の開口）は狭い方がよい。しかし特許文献４では、粘性の高いスープを収容対象としているので、断熱性を多少犠牲にしても、開口を大きくする構成が採用されている。一方、スープ程に粘性の高くない（例えば、スポーツドリンク、コーヒー、お茶等の）飲料を対象とする場合は、断熱性を最優先させて、飲み口の開口を狭くすることが好ましい。その場合に、容量をなるべく大きく確保するためには、内容器の最大胴径部を、容器の飲み口の開口径よりも大きくすることが好ましい。
【先行技術文献】
【特許文献】
【０００５】
【特許文献１】特許第６０３９２５５号公報
【特許文献２】特開２０１４−０００２６１号公報
【特許文献３】特開２０１４−０００２６２号公報
【特許文献４】特開２０１６−１１６６２８号公報
【発明の概要】
【発明が解決しようとする課題】
【０００６】
本発明の目的は、断熱性を優先させて飲み口を比較的小さくした二重壁容器に好適な構造を備え、内容量を比較的大きく維持したまま、製造工程における利便性も高い二重壁容器を提供することである。
【課題を解決するための手段および発明の効果】
【０００７】
本発明により、次の特徴を備えた二重壁容器が提供される。すなわち、本発明の二重壁容器は、内容器と外容器との間に空間を備えてなるもので、内容器は、上端が外側に向かって湾曲するとともに下方に折り返す湾曲折返部を備えている。そして、外容器の上端開口周縁部が、内容器の湾曲折返部の半径方向外側に接触し、当該接触箇所において、内容器と外容器が溶接により連結される。
【０００８】
上記構成を備えた本発明の二重壁容器は、製造工程において、外容器の底部を開けた状態で、内容器を下方側から挿通して両者を組み付けるのに都合が良い。何故なら、下方から接近してくる内容器の湾曲折返部に対して、その半径方向外側に外容器の上端開口周縁部が接触することで、一種の位置決め効果（あるいは調芯効果）が得られるからである。
【０００９】
本発明においては、外容器の上端開口周縁部と、当該上端開口周縁部が接触する湾曲折返部の外周壁部と、の少なくとも一方が、容器上方に向かうにつれて縮径していることが好ましい。
このような構成を採用した場合には、上記位置決め効果（あるいは調芯効果）がさらに高くなる。さらには、内容器と外容器の高さ方向における相対位置についても位置合わせ機能が発揮されるので、簡単な制御により製造精度を高めることが可能となる。
【００１０】
本発明においては、内容器の最大胴径は、外容器の上端開口周縁部の開口径よりも大きく構成することが好ましい。当該構成を採用した場合には、二重壁容器の上部開口（飲み口）の開口径を小さく抑えながら、容器の内容量を比較的大きくとることができる。
さらにこの場合、外容器は、少なくとも、最大胴径部を含む外周壁から上端開口周縁部に至る部分が、接合部の無い一体物で構成されていることが好ましい。これにより、二重壁容器を構成する部品点数が増加するのを抑えて、製造コストを低減することができる。
【００１１】
本発明においては、二重壁容器の蓋部材に形成されたネジ係合部と係合するネジ係合部が、外容器に形成されていることが好ましい。
このような構成を採用した場合には、湾曲折返部が内容器の側に、ネジ係合部が外容器の側に別々に形成されることとなる。湾曲折返部のカールした部分は、これを容器の飲み口に設けることにより、口当たりを滑らかにする効果があるが、当該カールした部分とは別の部材（外容器）にネジ係合部が形成されるので、カールした部分がネジの形成過程で変形することを回避できる。すなわち、口当たりの滑らかさが損なわれたり、あるいは内容器と外容器との溶接精度が低下するといった不都合を回避できる。
【図面の簡単な説明】
【００１２】
【図１】本発明の一実施形態に係る二重壁容器の構造を説明する断面図。
【図２】図１中の内容器および外容器を、それぞれ単独で示す図。
【図３】図１の二重壁容器の製造工程を説明する図。
【図４】図１の二重壁容器に対する変形例および比較例を説明する図。
【発明を実施するための形態】
【００１３】
本発明の実施形態を、添付図面を参照して説明する。図１は、本発明の一実施形態に係る二重壁容器１０の構造を示している（飲み口を閉じる蓋部材の図示は省略している）。図１（ａ）は、二重壁容器１０の半断面図である。図１（ｂ）は、全断面図であり、飲み口の開口近傍のＡ領域内を部分的に拡大して示している。
【００１４】
また、図２（ａ）は二重壁容器１０を構成する内容器２０を、図２（ｂ）は外容器３０を、それぞれ単独で示している。二重壁容器１０は、内容器２０と外容器３０との間に空間が形成され、これにより断熱性を高めるものである。以上の基本的な構成自体は、従来から知られたものである。
【００１５】
図２（ａ）に示すように、内容器２０は、上端に湾曲折返部２１を備えている。湾曲折返部２１は、半径方向外側に向かってカールしながら下方へと折り返すカール部２１ａと、カール部２１ａから下方に延在する外周壁部２１ｂと、で構成されている。
【００１６】
図２（ｂ）に示すように、外容器３０は、蓋部材の雌ネジ部（不図示）に係合する雄ネジ部３５の上方に上端開口周縁部３１を備える。なお、後述するように、製造工程においては、外容器３０の底側から内容器２０が挿入され、最終的に底部材３７によって底部が閉じられる。
【００１７】
図１（ｂ）中に一部拡大して示したように、外容器３０の上端開口周縁部３１は、内容器２０の湾曲折返部２１（の外周壁部２１ｂ）の半径方向外側に接触し、当該接触箇所において、内容器２０と外容器３０が溶接により連結・固定される。当該構成が本発明の重要な特徴の１つであって、これにより、以下に説明する種々の利益がもたらされる。
すなわち、
（ア）：まず、内容器２０を外容器３０の底から挿入して、最終的に両者を連結・固定する製造工程をスムーズに行うことが可能となる。
（イ）：当該製造工程を採用することによって、部品点数の増加を招くことなく、内容器２０の最大胴径Ｄ１を、外容器３０の上部開口径Ｄ２よりも、大きくとることができる（図３参照）。その結果、飲み口の開口が比較的小さいスリムな容器でありながら、比較的大きな内容量を確保することが可能となる。
以下、順番に説明する。
【００１８】
（ア）について
外容器３０の上端開口周縁部３１が内容器の湾曲折返部２１（の外周壁部２１ｂ）の半径方向外側に接触する構成は、内容器２０を外容器３０の底から挿入する製造工程に適した態様である。これを図３、図４を参照して説明する。
図３（ａ）〜（ｃ）に示した順序で、外容器３０の底部を開いた状態で、内容器２０を下方から挿通する製造工程を説明する。これら一連の工程では、図４（ａ）に拡大して示したように、内容器２０の湾曲折返部２１が下方から、外容器３０の上端開口周縁部３１に接近することとなる。このとき、上端開口周縁部３１は相対的に、湾曲折返部２１に上方から接近する。
この場合、上端開口周縁部３１が外周側から湾曲折返部２１（の外周壁部２１ｂ）に接触する構成であれば、外周側に存在する上端開口周縁部３１が、その内側に入り込む湾曲折返部２１に対して位置合わせ機能（調芯機能）を発揮することができるので、両者の接触をスムーズに完了できる。そして、その後の溶接（固定）にスムーズに移行することができる。
逆に、図４（ｃ）の比較例で示したように、内容器２０を外容器３０に対して上方から挿通しようとすると、湾曲折返部２１（の外周壁部２１ｂ）と上端開口周縁部３１との相対的な位置合わせが難しく、両者が干渉して、スムーズな連結が妨げられる可能性が高くなる（好ましくない）。
【００１９】
（イ）について
外容器３０の底部側から内容器２０を挿通する製造工程を採用すると、内容器２０の最大胴径Ｄ１を、外容器３０の上部開口径Ｄ２（すなわち、飲み口の開口径）よりも、大きくとることができる。すなわち、図３（ａ）からも明らかなように、「内容器２０の最大胴径Ｄ１」が「容器の飲み口の開口径Ｄ２」よりも大きい場合、内容器２０は、外容器３０に対して下方側からのみ挿通することが可能となる。
その結果、飲み口の開口径Ｄ２を小さくして、容器全体のコンパクトさを実現しながら、内容器２０の最大胴径Ｄ１が大きい分だけ、内容量を大きくとることが可能となる。
【００２０】
なお、外容器３０の最大胴径部（図３（ａ）中にＸで示した箇所）よりも上方部分をそれよりも下方部分とは別部材で構成して、後から溶接固定する構造を採用すれば、「内容器２０の最大胴径Ｄ１」が「容器の飲み口の開口径Ｄ２」よりも大きくても、内容器２０を外容器３０の上方から挿通することが可能となる。しかし、そのような構成では、部品点数が増え、製造工程も複雑化するので好ましくない。
本発明では、内容器２０を外容器３０の底部側から挿通して二重壁容器を製造するが故に、図３（ａ）中にＸで示した箇所を（継ぎ目の無い）一体物で構成した場合でも、「内容器２０の最大胴径Ｄ１」を「容器の飲み口の開口径Ｄ２」よりも大きく構成できる。すなわち、部品点数を少なく抑えて、製造工程を簡略化することができる。
図示した例では、外容器３０は、最大胴径部（図３（ａ）中、Ｘで示した箇所）を含む外周壁から、肩部３６および雄ネジ部３５を経て、上端開口周縁部３１に至る部分が、接合部の無い一体物で構成されている。
【００２１】
＜変形例＞
図４（ｂ）に示した変形例では、内容器２０の湾曲折返部２１の外周壁部２１ｂと、外容器３０の上端開口周縁部３１とが、上方に向かうにつれて縮径している。すなわち、断面図である図４（ｂ）において、上方に向かうにつれて、左側に向かって傾斜している。
このような構成を採用すれば、湾曲折返部２１が下方から上端開口周縁部３１に接近するときに、一種の調芯機能（あるいはガイド機能）が発揮される他、内容器２０と外容器３０の高さ方向における相対位置について位置合わせ機能が発揮される。
図示した例では、外周壁部２１ｂと上端開口周縁部３１との両方が上方に向かうにつれて縮径しているが、少なくともいずれか一方のみが縮径していれば、同様の効果が得られる。
【００２２】
＜他の特徴＞
特に図４から良く分かるように、図示した実施形態においては、二重壁容器を構成する内容器２０の側に湾曲折返部２１（特にカール部２１ａ）を設け、外容器３０の側に雄ネジ部３５を設けている。この雄ネジ部３５は、二重壁容器の飲み口を閉じる蓋部材（図示せず）側に設けた雌ネジ部と係合する。
カール部２１ａは、これを容器の飲み口に設けることにより、口当たりを滑らかにする効果があるが、ネジ部をカール部２１ａと同じ内容器２０の側に設けると、カールする部分が変形して、口当たりの滑らかさが損なわれたり、あるいは内容器２０と外容器３０との溶接精度が低下すること等が危惧される。
図示した実施形態では、雄ネジ部３５を（内容器２０ではなく）外容器３０の側に設けているので、上のような不都合を回避できる。
【００２３】
＜その他＞
内容器と外容器とを連結して構成される二重壁容器においては、図１（ｂ）中の拡大図でも示しているように、相対的に内容器の肉厚を薄く、外容器の肉厚を厚くすることが一般的である。そのような一般的な肉厚関係を採用する場合について、本発明のように内容器２０にカール部２１ａを設けると、次のような利点が得られる。
すなわち、カール部２１ａが薄肉の内容器２０側に形成されるので、内容器２０と直接接触する内容物からカール部２１ａを通して外部に逃げる熱量を（薄肉の分だけ）小さく抑えることができ、結果として断熱性能（保温・保冷性能）を高めることができる。
しかも、内容器２０は薄肉であるが、これにカールした部分を設けることで強度が向上する。つまり、上のように断熱性能（保温・保冷性能）を高めながら、外圧に対する強度の向上を図ることもできる。
【符号の説明】
【００２４】
１０  二重壁容器
２０  内容器
２１  湾曲折返部
２１ａ  カール部
２１ｂ  外周壁部
３０  外容器
３５  雄ネジ部
３６  肩部
３７  底部材
【図１】
2019089570.tif 000003
【図２】
2019089570.tif 000004
【図３】
2019089570.tif 000005
【図４】
2019089570.tif 000006